(57)【特許請求の範囲】
【請求項１】
屋根下の空間に架け渡された２条の走行レールと、前記走行レールに架け渡された可動梁と、前記可動梁を前記走行レールに沿って走行させる走行装置と、前記可動梁に起伏可能に支持された天井パネルと、前記可動梁に設けられ前記天井パネルを起伏して展開しあるいは折り畳む起伏手段と、を有することを特徴とする空間可変装置。
【請求項２】
前記屋根下空間を構成する外壁付近に設けられ前記走行レールの端部と接続され前記可動梁を走行レールへ移動可能とする収納レールを備えた収納庫を有することを特徴とする請求項１に記載の空間可変装置。
【請求項３】
前記天井パネルの先端にシール材が設けられたことを特徴とする請求項１または請求項２に記載の空間可変装置。
【発明の詳細な説明】
【０００１】
【産業上の利用分野】
本発明は、建物内の空間を使用形態に応じて仕切る空間可変方法及び空間可変装置に関する。
【０００２】
【従来の技術】
近年、野球やサッカーを主用途としたドームの有効利用を図り、主用途以外の多種多様なイベントにいかに対応させるかが、大きな社会的なニーズとなっている。
【０００３】
このようなドーム空間を多種多様なイベントに対応させる方法として、ドームの天井の内側に膜材で出来た昇降可能なウォールカーテンを配置し、このウォールカーテンで空間を水平に仕切るものがある（特開平６−２４０８９７号、特開平６−２００５８８０号公報参照）。
【０００４】
しかし、この方法は、天井高を低くし気積を縮小することで、残響性能をある程度コントロールできるが、ウォールカーテンに反射、吸音、拡散、及び遮音性能がないため、高い性能の音響空間を構築することが困難であった。また、ウォールカーテンがドーム天井の上方で常時待機しているので、意匠上の問題がある。
【０００５】
さらに、複数のイベントを同時開催する場合、空間を鉛直に仕切る必要があるが、このような要請に対応したシステムがまだ提案されていない。
【０００６】
【発明が解決しようとする課題】
本発明は係る事実を考慮し、多種多様なイベントの性質に応じて、質の高い専用空間を自由に構築し、意匠上優れた空間を作ることを目的とする。
【０００７】
【課題を解決するための手段】
請求項１に記載の空間可変装置は、屋根下の空間に架け渡された２条の走行レールと、前記走行レールに架け渡された可動梁と、前記可動梁を前記走行レールに沿って走行させる走行装置と、前記可動梁に起伏可能に支持された天井パネルと、前記可動梁に設けられ前記天井パネルを起伏して展開しあるいは折り畳む起伏手段と、を有することを特徴としている。
【００１０】
請求項２に記載の空間可変装置は、前記屋根下空間を構成する外壁付近に設けられ前記走行レールの端部と接続され前記可動梁を走行レールへ移動可能とする収納レールを備えた収納庫を有することを特徴としている。
【００１１】
請求項３に記載の空間可変装置は、前記天井パネルの先端にシール材が設けられたことを特徴としている。
【００１５】
【作用】
請求項１に記載の空間可変装置では、屋根下の空間に２条の走行レールが架け渡されている。走行レールには、可動梁が架け渡されており、この可動梁が走行装置によって、走行レールに沿って走行する。この可動梁には、起伏可能な天井パネルが支持されており、起伏手段によって起伏される。これによって、天井パネルが展開し、天井パネル同士が互いに接触し合って、空間を水平に分割して仕切り、遮音遮光に優れた天井を構築する。また、使用しない時は、天井パネルは折り畳まれ収納される。
【００１８】
請求項２に記載の空間可変装置では、収納レールを備えた収納庫が外壁付近に配設されている。収納レールは走行レールと接続されており、可動梁は収納レールと走行レールとの間を行き来できるようになっている。これによって、天井パネルを使用しないときは、可動梁が収納庫へ収納され、屋根下に待機しないので、建物全体の美観が向上する。また、外壁付近に収納することで、建築面積が増加しない。
【００１９】
請求項３に記載の空間可変装置では、天井パネルの先端に設けられたシール材が天井パネル間の隙間を互いに密閉し合い、遮音性能の高い天井を構築する。
【００２５】
【実施例】
図６〜図９に示すように、本実施例に係る空間可変装置は、ドーム状の屋根１０で覆われ大空間を構成するアリーナ１２に適用される。
【００２６】
このアリーナ１２は、中央部に野球、サッカー等がプレイできるフィールド１４を備えており、このフィールド１４の外周は、階段状のスタンド１６で囲まれている。フィールド１４は、ＲＣ床構造とされており、野球等のゲームを行う場合は、人工芝（図示省略）が敷かれようになっている。また、イベント等の空間として使用するときは、人工芝はＲＣ床の下に形成された地下ピット内へ巻き取られ収納される。また、屋根１０は、鋼管キールトラスで支えられており、この鋼管キールトラスは、アリーナ１２の４  隅の配置されたスーパーコア１７に支持されている。
（遮音遮光天井のシステム）
図６〜図８に示すように、フィールド１４とスタンド１６との境界線上には、２条の上段レール１８がアリーナ１２の長手方向へアーチ状に架け渡され、図示しない吊り材で吊下されている。この上段レール１８には、複数の走行ビーム２０が架け渡される。
【００２７】
この走行ビーム２０の両端には、図１０〜図１２に示すように、駆動装置２２によって駆動される走行ローラー２４が配設されており、この走行ローラー２４が上段レール１８のフランジに敷設された走行レール２６の上を走行する。この走行ローラー２４と同軸上に駆動ギア２８が取付けられている。この駆動ギア２８は、走行レール２６と平行に敷設されたギアラック３０（チェーンラックでもよい）と噛み合っている。これによって。走行ビーム２０が滑ることなく、アーチ状の上段レール１８の上を移動することができる。なお、走行ビーム２０の両端に配置された駆動装置２２は、エンコーダを介して同調して回転するように制御され、また、インバータ制御によって、所定の位置に走行ビーム２０が停止される。さらに、図示しない電動シリンダがピンを上段レール１８に設けられた位置決め部材３２（図６参照）に差し込みことによって、走行ビーム２０を所定の位置でロックする。
【００２８】
また、上段レール１８のウエブにはガイド部材３４が延設されている。このガイド部材３４の側面には、走行ビーム２０の端面に軸支されたサイドローラー３６が当接し、走行ビーム２０の幅方向の振れを防止している。さらに、走行ビーム２０の端面には、ガイド部材３４の下面に当接する下ローラー３８が軸支されており、走行ビーム２０の浮き上がりを防止している。また、走行ビーム２０の下面には、シール材（図示省略）が設けられており、上段レール１８の下フランジとの隙間をシールしている。
【００２９】
一方、走行ビーム２０は、断面形が逆三角台形状となる構造で、その下端には昇降装置４１が設けられている。この昇降装置４１には、走行ビーム２０の長手方向に沿って長板状の固定パネル４０が配置されている。これによって、固定パネル４０を上下動させ、後述する天井パネル４２を展開させた状態で、微調整できるようになっている。
【００３０】
この固定パネル４０の幅方向の両端には、シーリングが施されたヒンジ４４を介して天井パネル４２が連結されている。この天井パネル４２の先端部付近には、ワイヤ４６の一端が連結されている。このワイヤ４６の他端はドラム５１に巻き取られており、このドラム５１は、プーリー５３を介して走行ビーム２０の上部に配設されたホイスト４８で回転される。このホイスト４８でワイヤ４６を巻き取ることによって、天井パネル４２をＶ字状に折り畳むことができ、また、ホイスト４８でワイヤ４６を巻き出すことによって、天井パネル４２を水平に展開できるようになっている。
【００３１】
さらに、天井パネル４２の自由端には、中空部が形成された板状のシール材５０が取付けられている。天井パネル４２が展開して、シール材５０同士が接触したとき、シール材５０に圧縮空気を送って膨張させ、又は元の形状のままで天井パネル４２同士の隙間を閉塞させることができる。
【００３２】
また、天井パネル４２と固定パネル４０は、アルミ製又は鋼製のフラッシュパネルの両面に吸音材を貼りつけた三重構造（一重又は２重でもよい）とされている。これによって、アリーナ１２の空間が遮音、吸音、及び遮光の機能を持った天井で分割される。
【００３３】
なお、天井パネル４２とアリーナ１２の側壁との隙間は、図示しないインフレートシール又はゴム製パッキングによってシールされる。また、火災時を想定して、天井パネル４２は、鎖線で示すように、垂れ下がる状態まで展開させ、または、ワイヤ４６を巻き取り折り畳むことにより、屋根１０の下方に煙を溜めることができる。
【００３４】
一方、上段レール１８の左端（スタンド上部）には、走行ビーム２０が天井パネル４２を折り畳んだ状態で待機する収納スペースが設けられている。また、上段レール１８の右端には、収納庫５２が設けられている。この収納庫５２には、スタンド１６の上方域へ水平に張り出し走行ビーム２０と接続された収納レール５４が備えられている。この収納レール５４には、走行ビーム２０が天井パネル４２を折り畳んだ状態で乗り移って収納される。これにより、常時屋根１０の下方に走行ビーム２０が待機することなく、不使用時には、収納庫５２に収納されゲームを観戦する観客から見えないので、アリーナ１２全体の景観が良くなる。
（遮音遮光壁システム）
また、図６及び図１３に示すように、上段レール１８の下方には、２条の下段レール５８が、アリーナ１２の長手方向へ水平に架け渡されている。この下段レール５８には、走行トラス６０が架け渡されている。
【００３５】
この走行トラス６０の両端には、下段レール５８と平行に配設されたレール６２を跨ぐように、下方に折れ曲がる脚体６４が備えられている。この脚体６４には、ベースプレート６６が取付けられている。このベースプレート６６には、アクアトラべラーを構成する油圧シリンダ６８が配設され、その両側には、水圧シリンダ７０が設けられている。走行トラス６０の片側は、２つ以上のアクアトラべラーで支持されている。油圧シリンダ６８は、走行トラス６０の荷重を均等に配分し、水圧シリンダ７０は、下段レール５８のフランジ面の載置された高圧シール７２に水圧を加えて走行トラス６０を浮上させ、走行面レベルの誤差に追従させることで、無騒音、無振動で走行トラス６０を走行させる。
【００３６】
一方、レール６２を支持する梁材７４には、長手方向に沿って２条の駆動用チェーン７６が取付けられている。この駆動用チェーン７６には、スプロケット７８が噛み合っている。このスプロケット７８は、脚体６４に固定された駆動モータ８０で駆動される。これによって、走行トラス６０が下段レール５８に沿って走行可能となる。なお、駆動方式として、ボギー台車方式等の他の方式も可能である。
【００３７】
また、下段レール５８の上方には、吊り材８２に吊下されたガイドレール８４が延設されている。このガイドレール８４のガイド板８６を、脚体６４の上部に配置されたサイドローラー８８が両側から挟み、走行トラス６０の横振れを防止している。また、ベースプレート６６には、モートルシリンダ９０が設けられており、ピン９２を固定部材９４へ差し込み、走行トラス６０を所定の位置にロックする。さらに、ガイドレール８４には、ダンパー内蔵のストッパー９６が設けられており、地震の水平力を低減させるようになっている。
【００３８】
一方、スーパーコア１７（図２Ｂ参照）には、長さ及びサイズの異なるガイドポスト９８が収納されている。このスーパーコア１７には、ガイドポスト９８を簾状に吊下する収納レール１００が設けられている。この収納レール１００は、下段レール５８まで延設されおり、吊下されたガイドポスト９８が走行トラス６０へ乗り移ることができるようになっている。
【００３９】
図１５及び図１６に示すように、ガイドポスト９８の上端には、チャンネル１０２が固定されている。このチャンネル１０２の内側には、走行トラス６０の下面に設けられたポスト用レール１０４の上を走行する走行ローラー１０６が軸支されている。この走行ローラー１０６には、同軸上にスプロケット１０８が固定されている。このスプロケット１０８と、走行モータ１１０によって駆動されるスプロケット１１２とには、チェーン１１４が巻き掛けられている。これによって、走行ローラー１０６が回転してガイドポスト９８がポスト用レール１０４に沿って走行できるようになっている。
【００４０】
また、ガイドポスト９８は断面箱形状で、４隅には防音シャッター１１８の幅方向の両端をガイドするガイド溝１１６が形成されている。ガイドポスト９８の上部内側には、図示しないロック用の電動シリンダーが設けられている。この電動シリンダーがピンを突出させ、ガイドポスト９８の上部を走行トラス６０に固定する。
【００４１】
さらに、ガイドポスト９８の下部にも、電動シリンダー１２０が設けられている。電動シリンダー１２０には、位置決めブロック１２２が連結されている。この位置決めブロック１２２の底面には、固定プレート１２４が取付けられている。固定プレート１２４の中央には、固定ピン１２６が突設されており、着地面に穿設された係止孔１２８へ差し込み可能となっている。すなわち、電動シリンダー１２０で位置決めブロック１２２を下方に押し下げることによってガイドポスト９８の下部が固定される。なお、位置決めブロック１２２には、ショックアブソーバ１３０が取付けられており、着地面に当たったときの衝撃力及びアリーナ１２の屋根１０の変形を吸収するようになっている。このガイドポスト９８によって、防音シャッター１１８の開閉動作時、及び地震力等によって生じる水平力に対抗できるようになっている。
【００４２】
一方、走行トラス６０には、図１８に示すように、防音シャッター１１８を巻き取ったドラム１３２が対向して内蔵されている。このドラム１３２は、ガイドポスト９８がそれぞれ所定の位置まで走行しロックされた後、ガイド溝１１６に沿って巻き出され、アリーナ１２の空間を鉛直に二重に仕切るようになっている。
【００４３】
また、図１４に示すように、アリーナ１２の中央のスタンド１６の上方には、外壁から固定トラス１３４が張り出している。この固定トラス１３４には、ガイドポスト９８が走行するポスト用レール１０４が設けられている。すなわち、走行トラス６０が固定トラス１３４と線上に並ぶ位置まで移動すると、図示しない電動シリンダーによって駆動されるトランスファー装置によって走行トラス６０と固定トラス１３４が接続され、走行トラス６０のポスト用レール１３４に吊下された短いサイズのガイドポスト９８が固定トラス１３４側へ乗り移る。
【００４４】
さらに、固定トラス１３４にも、防音シャッター１１８を巻き取ったドラム１３２が内蔵されており、スタンド１６を防音シャッター１１８で仕切ることができるようになっている。なお、スタンド１６には、三角形に堀り込まれ溝底が水平な係止溝が形成されている。従って、防音シャッター１１８の下部が、この係止溝に入り込むことで、段状とされたスタンド１６でも隙間なく仕切ることができる。
【００４５】
また、スタンド１６の下段と中段の隙間１４０は、スタンド１６の下部からテレスコピック方式で立ち上がる可動壁１３６によって遮蔽されるようになっている。なお、固定トラス１３４の上方の三角部には、固定遮音２重ガラス１３８が嵌め込まれている。
【００４６】
一方、図１８に示すように、走行トラス６０の上部には、遮音板１４２の下端がヒンジ１４４を介して傾倒可能に軸支されている。遮音板１４２の自由端側には、ブラケット１４６が突設されている。このブラケット１４６には、電動シリンダー１４８のピストン１５０が回動自在に連結されている。電動シリンダー１４８の本体部の後端は、走行トラス６０へ回動自在に取付けられている。
【００４７】
この構成によって、電動シリンダー１４８のピストン１５０を伸張させると、遮音板１４２がヒンジ１４４回りに回動して起立状態となり、走行トラス６０と天井パネル４２との間の隙間を遮蔽することができる。
【００４８】
また、電動シリンダー１４８のピストン１５０を縮ませると、遮音板１４２は傾倒するが、この傾倒状態で遮音板１４２がガタ付かないように、走行トラス６０の上面には、遮音板１４２の自由端部を固定する固定ストッパー１５２が配設されている。また、傾倒時の衝撃力を吸収するため、ショックアブソーバ１５４が配設されている。
（音響天井システム）
図６及び図７に示すように、収納庫５２に配置された収納レール５４の上段の収納レール１５８には、自走式の走行ビーム１５６が架け渡され収納されている。この走行ビーム１５６には、音響天井パネル１６０がＶ字状に折り畳まれている。この音響天井パネル１６０は、アルミ製又は鋼製のパネルに吸音材を裏打ちして構成され、音の反射を主目的とするパネルと音の吸収を主目的とするパネルが用いられている。また、シーリングライト１６２及びスポットライト１６４が装着された走行ビーム１６６も配設されており、この走行ビーム１６６には、ライト操作用の昇降式歩廊が備えられている。
【００４９】
走行ビーム１５６、１６６は、自走して収納レール１５８の端部まで移動するようになっている。ここで、リフター１６８で走行ビーム１５６、１６６を吊下し、下段レール５８の内側に平行に延設されたレール６２の上に架け渡す。次に、レール６２の上を所定の位置まで移動させてロックし、ホイストで音響天井パネル１６０を下降させ、への字状に展開させる。
【００５０】
なお、専門空間を構成する場合、ステージ割りには、反射を目的とした音響パネルを、後部客席寄りには、吸音を目的とした音響パネルが位置するように、走行ビーム１５６を配置する。
（音響壁システム）
図３及び図７に示すように、アリーナ１２のスタンド１６上部には、フィールド１４に向かってスライド式レール１７０が張り出している。このスライド式レール１７０には、シーザスタイプの展開機構を用いた音響壁パネル１７２が台車１７４を介して自走可能に吊下されている。
【００５１】
この音響壁パネル１７２は、ヒンジで連結されたフレームが上下方向に折り畳まれており、ウインチによって巻き上げ又は巻き出されるワイヤにより、自重で展開しあるいは折り畳まれ、客席サイドに壁面を構成するようになっている。
【００５２】
また、フレームはアルミ製又は鋼製とされ、表側には、吸音材を裏打ちしたアルミ板が貼り付けられ、裏側には、テフロンコーテングしたクロスグラスを貼り付けて構成されている。
（移動式トラス）
図３及び図６に示すように、下段レール５８には立体トラス構造の移動式トラス１７６が走行可能に架け渡されている。この移動式トラス１７６には、バトン等を吊る装置、大型映像吊り装置が搭載されている。移動式トラス１７６は、下段レール５８の全長に亘って走行できるようになっており、任意の位置で停止しロックされる。
【００５３】
また、移動式トラス１７６には、ステージの前面上部及び両袖を構成する垂れ壁１７８が配設されている。この垂れ壁１７８は、シーザスタイプの展開機構を用いたパネルで構成されており、必要に応じて下方へ展開される。
（可動席システム）
図５及び図６に示すように、アリーナ１２のスタンド１６の客席のうち、上段と中段は固定席となっているが、下段席は可動席１８０とされている。この可動席１８０は、昇降式のステージ１８２に搭載されており、ステージ１８２を上下させることによって可動席１８０の高さを可変させることができる。
【００５４】
ステージ１８２には、水平方向へ伸縮可能な展張可動席１８４が収納されており、フィールド１４の上に展張し、イベントの種類に応じて、最適な可視条件と客席配置が実現できるようになっている。
（可搬式ステージシステム）
図６に示すように、フィールド１４を構成するＲＣ床構造の一部は、昇降式床面１８６とされている。地下ピット内には、昇降装置が設けられており、昇降式床面１８６へ地下ピットに収納されたステージを載せ、フィールド１４の上に上昇させることができるようになっている。
【００５５】
なお、以上説明した構造は、自動制御によってシステム全体を連動して自動制御される場合と、個々に制御される場合とがある。
【００５６】
制御システムは、モニタリング機能を有し、常に運転状況を監視すると共に、各主要部品の故障を予知する警告機構を有している。また、運転時間、消費電力、故障部位、メンテナンス等に関するデータをコンピュータで処理することによって、合理的な運転方法の決定やメンテナンス計画を立てることができる。
（空間可変手順）
ここで、アリーナ１２の空間を可変させる手順を、競技空間から音楽イベント空間へ転換する場合を例に採って説明する。なお、各システムはそれぞれ単独使用でき、また、任意に組み合わせできることは無論である。
【００５７】
図１に示すように、天井パネル４２が折り畳まれて収納された走行ビーム２０が、上段レール１８に沿って所定の位置まで移動しロックされる。ここで、天井パネル４２が展開して、遮音遮光天井を構築する。
【００５８】
次に、図２に示す走行トラス６０が収納レール１００（図９参照）の位置に移動し、ガイドポスト９８が自走して走行トラス６０に乗り移る。ここで、走行トラス６０がガイドポスト９８を吊った状態で固定トラス１３４の位置まで移動しロックされる。次に、ガイドポスト９８が自走して、走行トラス６０の上に所定の間隔で配置されてロックされ、また、短いガイドポスト９８が固定トラス１３４へ乗り移り、所定の間隔で配置されロックされる。次に、ドラム１３２が防音シャッター１１８を巻き出して空間を２分する遮音遮光壁を構築する。
【００５９】
また、走行トラス６０に配置された起立式の遮音板１４２を跳ね上げ、走行トラス６０と天井パネル４２との間を遮蔽する（図７参照）。
【００６０】
次に、図３に示すように、移動式トラス１７６が、吊り物バトンと垂れ壁１７８を吊下して、下段レール５８に沿って移動し、所定の位置で停止し垂れ壁１７８を展開する。
【００６１】
次に、スライド式レール１７０が所定の位置まで伸び、さらに、音響壁パネル１７２の台車１７４が所定の位置まで移動する。ここで、音響壁パネル１７２が下方へ展開して、客席サイドに音響壁を構築する。
【００６２】
次に、図４に示すように、音響天井パネル１６０を折り畳んで収納された走行ビーム１５６が、リフター１６８（図７参照）でレール６２の上に下降し、レール６２に沿って移動する。
【００６３】
所定の位置まで移動するとロックされ、音響天井パネル１６０が下降展開して、音響天井を構築する。なお、吊り物がある場合は、走行ビーム１６６（図６参照）に設置された昇降装置のケーブルがフィールド１４まで下降し、吊り物を所定の位置まで吊り上げる。
【００６４】
次に、図５に示すように、可動席１８０を上昇させ、ステージ１８２に収納された展張可動席１８４をフィールド１４側へ展張し、最適な可視条件を確保する。
【００６５】
次に、図６に示すように、フィールド１４の昇降式床面１８６を上昇させ、また、必要に応じて演出サポート用具を配設する。
【００６６】
【発明の効果】
本発明は上記構成としたので、大空間の気積をイベントの規模に応じ、空間の平面規模、断面規模を可変できる。イベントが同時開催できる空間を２つ以上設定できる。また、適切な残響と高い遮音性能の専門空間を形成できる。
【図面の簡単な説明】
【図１】（Ａ）は天井パネルを構築している状態の断面図であり、（Ｂ）は天井パネルを構築している状態の斜視図である。
【図２】（Ａ）は壁面を構築している状態の断面図であり、（Ｂ）は壁面を構築している状態の斜視図である。
【図３】（Ａ）は客席サイド側の音響壁面と垂れ壁を構築している状態の断面図であり、（Ｂ）は客席サイド側の音響壁面と垂れ壁を構築している状態の斜視図である。
【図４】（Ａ）は音響天井を構築している状態の断面図であり、（Ｂ）は音響天井を構築している状態の斜視図である。
【図５】（Ａ）は可動席を構築している状態の断面図であり、（Ｂ）は可動席を構築している状態の斜視図である。
【図６】完成した音楽イベントホールの斜視図である。
【図７】完成した音楽イベントホールの断面図である。
【図８】アリーナの断面図である。
【図９】アリーナの平面図である。
【図１０】走行ビームに天井パネルが収納されている状態を示した側面図である。
【図１１】天井パネルが展開した状態を示した側面図である。
【図１２】走行ビームの走行機構を示した断面図である。
【図１３】走行トラスの走行機構を示した断面図である。
【図１４】防音シャッターを展開した状態を示す正面図である。
【図１５】ガイドポストの吊下状態を示した側断面図である。
【図１６】ガイドポストの吊下状態を示した正断面図である。
【図１７】ガイドポストの平断面図である。
【図１８】遮音板の起立状態を示した側面図である。
【符号の説明】
１８      上段レール
２０      走行ビーム（可動梁）
４２      天井パネル
５０      シール材
５４      収納レール
５８      下段レール
６０      走行トラス（走行梁）
９８      ガイドポスト
１１８    防音シャッター
１３２    ドラム
１３４    固定トラス（固定梁）
１４２    遮音板（壁材）
【図１】
0003591905.tif 000002
【図２】
0003591905.tif 000003
【図３】
0003591905.tif 000004
【図４】
0003591905.tif 000005
【図５】
0003591905.tif 000006
【図６】
0003591905.tif 000007
【図７】
0003591905.tif 000008
【図８】
0003591905.tif 000009
【図９】
0003591905.tif 000010
【図１０】
0003591905.tif 000011
【図１１】
0003591905.tif 000012
【図１２】
0003591905.tif 000013
【図１３】
0003591905.tif 000014
【図１４】
0003591905.tif 000015
【図１５】
0003591905.tif 000016
【図１６】
0003591905.tif 000017
【図１７】
0003591905.tif 000018
【図１８】
0003591905.tif 000019